(57)【特許請求の範囲】
【請求項１】
物体側に光軸方向に沿った円柱面を有するレンズ本体と、該レンズ本体の径方向外側に突出し、前記レンズ本体の光軸に沿って像側から前記物体側に向かうに連れて縮径するとともに、前記物体側の表面が傾斜面を有する固定部とを備えたレンズと、
前記固定部において光軸方向に押圧して固定する固定手段とを有するとともに、
前記固定手段が前記固定部のうち前記傾斜面にのみ接触しており、
前記傾斜面を第１傾斜面としたときに、前記固定手段が前記第１傾斜面に接する第２傾斜面を有するとともに、前記径方向に対する前記第２傾斜面の傾斜角が、前記径方向に対する前記第１傾斜面の傾斜角よりも大きく、
前記第１傾斜面と前記第２傾斜面との間に前記レンズと同じ材料から成る粉体が設けられていることを特徴とするレンズユニット。
【発明の詳細な説明】
【技術分野】
【０００１】
本発明は、レンズユニットに関するものである。
【背景技術】
【０００２】
従来、レンズを固定手段（リテーナ）により固定する構造が知られている。例えば特許文献１には、外周にねじ部が形成された鏡筒に保持されたレンズを、鏡筒のねじ部に螺合する環状の押え部材（リテーナ）で押圧する構造が開示されている。
【先行技術文献】
【特許文献】
【０００３】
【特許文献１】特開２０１１−０４８１２３公報
【発明の概要】
【発明が解決しようとする課題】
【０００４】
例えば特許文献１に記載された構造のレンズユニットを車両等の移動体に搭載すると、異物がレンズユニットに衝突した場合に、レンズユニットに強い衝撃が加わり、レンズに亀裂が入る可能性がある。
【課題を解決するための手段】
【０００５】
上記課題を解決するために、本発明の一態様に係るレンズユニットは、物体側に光軸方向に沿った円柱面を有するレンズ本体と、該レンズ本体の径方向外側に突出し、前記レンズ本体の光軸に沿って像側から前記物体側に向かうに連れて縮径するとともに、前記物体側の表面が傾斜面を有する固定部とを備えたレンズと、前記固定部において光軸方向に押圧して固定する固定手段とを有するとともに、前記固定手段が前記固定部のうち前記傾斜面にのみ接触しており、前記傾斜面を第１傾斜面としたときに、前記固定手段が前記第１傾斜面に接する第２傾斜面を有するとともに、前記径方向に対する前記第２傾斜面の傾斜角が、前記径方向に対する前記第１傾斜面の傾斜角よりも大きく、前記第１傾斜面と前記第２傾斜面との間に前記レンズと同じ材料から成る粉体が設けられていることを特徴とする。
【発明の効果】
【０００６】
本発明の一態様に係るレンズユニットによれば、レンズに亀裂が入る可能性を低減できる。
【図面の簡単な説明】
【０００７】
【図１】本発明の実施形態に係るレンズユニットの構成を示す断面図である。
【図２】図１のレンズの傾斜面と固定手段との接触位置をレンズの上面図である。
【図３】図１の固定部およびその周辺の拡大図である。
【図４】変形例のレンズユニットの拡大図である。
【発明を実施するための形態】
【０００８】
図１は、本発明の実施形態に係るレンズユニットの概略構成を示す断面図である。レンズユニット１０は、レンズ２０と、レンズ保持体３０と、固定手段４０とを備える。レンズ保持体３０と固定手段４０とは、ねじによって螺合する。レンズユニット１０は、レンズユニット１０の外部の物体の被写体像を結像面に結像する。
【０００９】
レンズ２０は、レンズ保持体３０により保持される。レンズ２０は、レンズ本体２１と、レンズ本体２１から径方向外側に鍔状に突出するように構成された固定部２２とを有する。固定部２２は、レンズ本体２１の光軸に沿って像側から物体側に向かうに連れて縮径する。レンズ２０は、固定部２２において、固定手段４０により、光軸方向に押圧されて固定される。固定手段４０は、例えばリテーナであり、固定部２２に接触する接触部４１を有する。固定手段４０に押圧されたレンズ２０はレンズ保持体３０に保持される。
【００１０】
レンズ本体２１は、レンズ本体２１の外周側であってレンズ２０の物体側において、レンズ面２５に連結する、光軸方向に沿った円柱面２３を有する。
【００１１】
固定部２２は、傾斜面２４を有する。傾斜面２４は、固定部２２がレンズ本体２１の光軸に沿って像側から物体側に向かうに連れて縮径することによって、固定部２２の物体側に形成される面である。傾斜面２４は、円柱面２３においてレンズ本体２１に連結する。本実施形態において、傾斜面２４は、図１に示すように、断面視において直線状となる。傾斜面２４は、固定部２２の外周側から円柱面２３に向かって、光軸方向に垂直な面（図１における水平面）に対して所定の仰角θをなす。
【００１２】
本実施形態において、固定手段４０の接触部４１は、傾斜面２４全体と接触するように傾斜面状に形成される。図２は、図１のレンズ２０の傾斜面２４と固定手段４０との接触位置をレンズ２０の平面視において示す図である。図２に示すように、レンズ２０は平面視において、中央にレンズ面２５を有し、レンズ面２５の周辺に傾斜面２４を有する。本実施形態のレンズ２０は、図２に斜線で示す傾斜面２４の領域全体に亘って固定手段４０と接触する。すなわち、本実施形態において、レンズ２０は、図２の斜線で示した領域において、固定手段４０により押圧して固定される。
【００１３】
再び図１を参照すると、固定部２２は傾斜面２４を有することにより、レンズ２０の中心に近いほど厚みが増す。そのため、本実施形態に係るレンズ２０は、傾斜面２４を有さないレンズ２０と比較して光軸方向にかかる衝撃力に対して強くなり、固定手段４０と、レンズ面２５との境目の周辺に異物による衝撃が与えられた場合であっても、破壊されにくくなる。
【００１４】
また、固定部２２は、傾斜面２４を有することにより、レンズ２０にかかる衝撃を分散できる。図３は、固定部２２及びその周辺の拡大図である。本実施形態において、例えば図３に示すように、固定手段４０と、レンズ面２５との境目の周辺に異物による衝撃が発生する。ここで、固定部２２は、傾斜面２４を有するため、固定部２２の衝撃力は、図３に示すように、傾斜面２４に沿った方向及び傾斜面２４に垂直な方向に分解して表現できる。このように、固定部２２は傾斜面２４を有することにより、光軸方向の衝撃力を分散することができる。そのため、本実施形態に係るレンズ２０は、傾斜面２４を有さないレンズ２０と比較して破壊されにくくなる。
【００１５】
傾斜面２４の仰角θは、レンズユニット１０の設計に合わせて適宜設定される。仰角θは、上述のように、固定部２２にかかる衝撃力に対して破壊されてにくく、また衝撃を分散できる角度であることが好ましく、例えば１０°以上７０°未満の角度である。仰角θを１０°以上とすることにより、光軸方向の衝撃力が分散されるとともに、固定部２２の厚みが増すため、レンズ２０が破壊されにくくなる。また、仰角θを７０°未満とすることにより、固定手段４０によりレンズ２０をレンズ保持体３０に固定できる。仰角θが７０°以上となると、固定手段４０がレンズ２０を固定する力が弱まり、レンズ２０が適切に固定されない可能性がある。
【００１６】
さらに、固定手段４０が固定部２２のうち傾斜面２４にのみ接触している。そのため、固定部２２のうち固定手段４０に接触する全ての領域が傾斜面２４になるので、衝撃を良好に分散できるようになる。本実施形態においては、固定部２２のうち物体側の面の全てが傾斜面２４になっている。
【００１７】
また、図４に示すように、傾斜面２４を第１傾斜面２４としたときに、固定手段４０が
第１傾斜面２４に接する第２傾斜面４２を有するとともに、径方向に対する第２傾斜面４２の傾斜角が、径方向に対する第１傾斜面２４の傾斜角よりも大きくてもよい。これにより、固定手段４０によって固定部２２を抑えつつも、レンズ面２５の近傍において固定手段４０と固定部２２との間に微細な隙間ができる。これにより、固定手段４０のうちレンズ面２５の近傍に異物が衝突した場合の衝撃をこの隙間で吸収できる。そのため、固定手段４０によって固定部２２を抑えつつ、レンズ面２５に亀裂が入るおそれを低減できる。第２傾斜面４２の傾斜角は、第１傾斜面２４の傾斜角よりも０．５〜５°程度に大きく設定できる。０．５°以上にすることによって衝撃を吸収する隙間を形成できるとともに、５°以下にすることによって固定手段４０によって固定部２０を良好に抑えることができる。
【００１８】
また、第１傾斜面２４と第２傾斜面４２との間にレンズ２０と同じ材料から成る粉体が設けられていてもよい。これにより、第１傾斜面２４と第２傾斜面４２とを密着させる場合と比較して、異物による衝撃を吸収しやすくできる。これは、第１傾斜面２４と第２傾斜面４２との間に粉体があることによって、第１傾斜面２４と第２傾斜面４２との間に隙間が形成されるためである。さらに、粉体がレンズ２０と同じ材料から成ることによって、温度環境が変化した場合に熱応力が発生することを低減できる。
【符号の説明】
【００１９】
１０  レンズユニット
２０  レンズ
２１  レンズ本体
２２  固定部
２３  円柱面
２４  傾斜面（第１傾斜面）
２５  レンズ面
３０  レンズ保持体
４０  固定手段
４１  接触部
４２  第２傾斜面
【図１】
0006633324.tif 000002
【図２】
0006633324.tif 000003
【図３】
0006633324.tif 000004
【図４】
0006633324.tif 000005